(57)【特許請求の範囲】
【請求項１】
書き込み可能な使用面を有してなる筆記用ボードにおいて、使用面を有し互いに隣接する複数のボード本体と、当該複数のボード本体を折り畳み可能に連結する連結部材とを設け、
前記連結部材で連結された複数のボード本体を表裏いずれの方向にも折り畳み又は展開することによって表出する使用面の大きさを変更可能に設けたものとし、
前記連結部材で連結された複数のボード本体の境界部分に湾曲部を設けるとともに当該湾曲部にまで前記ボード本体の前記使用面を回り込ませてなることを特徴とする筆記用ボード。
【請求項２】
前記筆記用ボードに、前記連結部材で連結された複数のボード本体の相対位置関係の変動を規制する規制部を設けたことを特徴とする請求項１に記載の筆記用ボード。
【請求項３】
前記使用面をボード本体の表裏に設けたことを特徴とする請求項１又は２に記載の筆記用ボード。
【請求項４】
前記ボード本体に脚部を設けたものであって、当該脚部を、ボード本体の折り畳み時に干渉しない位置に設けたことを特徴とする請求項１、２又は３に記載の筆記用ボード。
【発明の詳細な説明】
【０００１】
【発明の属する技術分野】
本発明は、ホワイトボードやコピーボード・コピー黒板などと称されるような筆記用ボードに関するものである。
【０００２】
【従来の技術】
現在、多くの企業における会議室などでは、ホワイトボードやコピーボード、コピー黒板などと称されるような筆記用ボードが使用されている。このような筆記用ボードは、揮発性の筆記具を用いてボード面に書き込みできるようにしたものであるが、このような筆記用ボードの中には、書き込みできるページ数を多く確保するために、ボード面をフィルム状に構成し、このフィルムの巻き取りによって新たなページに書き込みできるようにしたものが存在する。
【０００３】
【発明が解決しようとする課題】
ところが、このようなものでは書き込みページ数を多く確保できるものの、既に巻き取られた記載内容を見ながら新たなページに書き込みする必要が生じた場合、何回もそのフィルムを往復させなければならない。一方、このようなスクロールの往復回数を少なくするために、ボード面の領域を大きくすることも考えられるが、このように構成した場合は、筆記用ボード全体の占有面積が大きくなってしまい、不要時にその筆記用ボードが邪魔になるという問題を有していた。
【０００４】
そこで、本発明は、以上のような不具合に着目してなされたもので、使用面を可能な限り大きくするとともに、不要時に邪魔にならないような筆記用ボードを提供することを目的とするものである。
【０００５】
【課題を解決するための手段】
すなわち、本発明の筆記用ボードは、上記課題を解決するために、書き込み可能な使用面を有してなる筆記用ボードにおいて、使用面を有し互いに隣接する複数のボード本体と、当該複数のボード本体を折り畳み可能に連結する連結部材とを設け、前記連結部材で連結された複数のボード本体を表裏いずれの方向にも折り畳み又は展開することによって表出する使用面の大きさを変更可能に設けたものとし、前記連結部材で連結された複数のボード本体の境界部分に湾曲部を設けるとともに当該湾曲部にまで前記ボード本体の前記使用面を回り込ませてなることを特徴とし、表出している使用面の形態、例えば、使用面の形状などを変更できるように構成したものである。このように構成することによって、書き込み量が多く、特に同時に見える範囲に書き込む必要がある場合は、使用面を大きくすることができ、また、この筆記用ボードを使用しない場合や、小さい書き込み領域だけで事足りる場合は、この使用面の大きさを小さく変更することによって、省スペース化を図ることができる。
【０００６】
なお、ここで使用面の形態を変更可能にする方法としては、筆記用ボードを構成する枠体を幅方向に広げることなどによって枠体内の使用面を大きく広げる方法や、また、複数のボード本体を折り畳むことによって表出する使用面の大きさなどを変更するように構成することもできるが、特に本願発明では、後者の方法を採用することにより、簡単な構成で使用面の大きさを変更することができる。
【０００７】
更に、この筆記用ボードを折り畳む場合、連結部材で連結されたボード本体を表裏のいずれの方向にも折り畳み可能に構成する。このように構成すれば、使用面の組み合わせの自由度が増え、使用面を有効に使うことができるようになるとともに、例えば、筆記用ボードを室内のコーナ部分に設置する場合であっても、そのコーナに合わせてボード本体を折り畳むことができるようになる。
【０００８】
また、このように両方向にボード本体を折り畳めるようにする場合、連結部材で連結されるボード本体の境界部分を、例えば、半円状に湾曲させて構成する。このように構成すれば、折り畳み時などに各ボード本体の角部分の開閉を防止することができ、指の挟み込みなどを未然に防止することができるようになる。
【０００９】
また、このように使用面の形態を変更可能に設けた場合、使用面への書き込み時に使用面が振れてしまう可能性がある。従って、このように変更された使用面の状態をそのまま維持するような規制部を設けるようにすると良い。
【００１０】
また、この使用面を表裏に位置するように設ければ、より書き込み面積を大きくすることができるだけでなく、折り畳み時に常に使用面を手前側に位置させるようにすることもできる。
【００１１】
また、このように筆記用ボードを折り畳み可能に構成する場合、各ボード本体に設けられている脚部を互いに干渉しない位置に配して設けるようにし、これによって折り畳みを完全に行えるようにすると良い。
【００１２】
【発明の実施の形態】
（第一の実施形態）
以下、本発明の一実施形態を図面を参照して説明する。図１は、筆記用ボード１００の外観斜視図を示したものであり、図２は、図１におけるＡ−Ａ断面図を示したものである。また、図３は、筆記用ボード１００における表側使用面１８ｆ・２８ｆ・３８ｆと裏側使用面１８ｂ・２８ｂ・３８ｂとペーパコア６を取り外した状態を示したものである。
【００１３】
この筆記用ボード１００は、左ボード本体１と中央ボード本体２と右ボード本体３とを具備してなり、左ボード本体１と中央ボード本体２との境界部分および右ボード本体３と中央ボード本体２との境界部分に、互いに対称となるような向きに蝶番などの連結部材４を取り付けて折り畳めるようにしたものである。
【００１４】
この左ボード本体１、中央ボード本体２、右ボード本体３のうち、左ボード本体１と右ボード本体３は対称形状に構成され、また中央ボード本体２は、この左ボード本体１および右ボード本体３に設けられた脚部１４・２４・３４を除いて同様に構成されるものである。また、各ボード本体１・２・３の構成としては、脚部１４・２４・３４と、この脚部１４・２４・３４によって支持される枠体１０・２０・３０と、これら枠体１０・２０・３０の内部に設けられるペーパコア６（図２）と、このペーパコア６および枠体１０・２０・３０上に取り付けられる表側使用面１８ｆ・２８ｆ・３８ｆおよび裏側使用面１８ｂ・２８ｂ・３８ｂとを有してなるものである。
【００１５】
この枠体１０・２０・３０は、図３に示すように鉛直方向に対向して設けられた縦フレーム１１・２１・３１と、この縦フレーム１１・２１・３１の上下両端部に跨って設けられた上部フレーム１３・２３・３３および下部フレーム１２・２２・３２とによって構成されるものであり、平均的な大人の体格などを考慮して縦フレーム１１・２１・３１の高さ寸法を略１７０センチ程度に設定し、また、上部フレーム１３・２３・３３および下部フレーム１２・２２・３２の横幅寸法を約９０センチ程度に設定したものである。この下部フレーム１２・２２・３２と縦フレーム１１・２１・３１は、断面を略長方形状にした中空状の金属部材によって構成されており、これによって軽量化を図るようにしている。また、この縦フレーム１１・２１・３１の上端部分に跨って設けられた上部フレーム１３・２３・３３は、金属板を上向き略コの字状に折り曲げて形成したものであり、この上部フレーム１３・２３・３３の対向する壁部１３ｓ・２３ｓ・３３ｓの間の寸法と略同一の寸法を有する直方体の規制部材５を嵌め込むことによって、展開された筆記用ボード１００を折り畳めないように規制したものである。すなわち、中央ボード本体２と右ボード本体３、もしくは中央ボード本体２と左ボード本体１とに跨ってこの規制部材５を上部フレーム１３・２３・３３に嵌め込むことによって、隣接するボード本体の規制部たる壁部１３ｓ・２３ｓ・３３ｓによって、それぞれのボード本体を直線状に維持し、これによって展開された筆記用ボード１００を折り畳めないようにしている。
【００１６】
また、このように構成された枠体１０・２０・３０に設けられた脚部１４・２４・３４は、この枠体１０・２０・３０を構成するフレームと同一の断面形状を有する縦脚フレーム１５・２５・３５を設けてなり、また、この縦脚フレーム１５・２５・３５に、キャスタ１７・２７・３７を有する水平脚フレーム１６・２６・３６を取り付けて構成したものである。そして、これらの左ボード本体１、中央ボード本体２、右ボード本体３に設けられた脚部１４・２４・３４は、各ボード本体を折り畳んだ際に互いの脚部１４・２４・３４が干渉しないような位置および大きさに設定されている。すなわち、中央ボード本体２の右端部と右ボード本体３の水平脚フレーム３６の内側との寸法をＤとした場合、中央ボード本体２の右側下端に設けられている水平脚フレーム２６の片側の長さｄをＤよりも小さく設定する。また、これと同様に左ボード本体１についても、中央ボード本体２の左端部と左ボード本体１の水平脚フレーム１６との距離をＤに設定するとともに、中央ボード本体２の左側下端に設けられている水平脚フレーム２６の片側の長さをｄに設定する。このように構成することによって、右ボード本体３と左ボード本体１とを回転させて折り畳む場合、これらのボード本体に設けられている脚部１４・３４が中央ボード本体２の脚部２４の水平脚フレーム２６に干渉しないようにしている。また、左右のボード本体１・３の脚部１４・３４をそれぞれのボード本体１・３の横幅寸法よりも内側に設けており、これによって、左右のボード本体１・３を、これと同じ幅寸法を有する中央ボード本体２側に折り畳んだ場合であっても、それぞれの脚部１４・２４・３４が干渉しないようにしている。
【００１７】
また、これらの脚部１４・２４・３４によって支持された枠体１０・２０・３０には、その枠体１０・２０・３０で囲まれる内部全面にわたって各フレームと同じ厚み幅を有するペーパコア６を取り付けており、更に、このペーパコア６や縦フレーム１１・２１・３１、上部フレーム１３・２３・３３、下部フレーム１２・２２・３２を表側および裏側から挟み込むように使用面１８ｆ・１８ｂ・２８ｆ・２８ｂ・３８ｆ・３８ｂを取り付けている。
【００１８】
この使用面１８ｆ・１８ｂ・２８ｆ・２８ｂ・３８ｆ・３８ｂは、図示しない揮発性の筆記具を用いて書き込み可能に構成されたフィルムをスチール板の表面に設けられて構成したものであり、このようにスチール板を設けることによって表面を滑らかにするとともに、マグネット製の部品などを取り付けられるようにしている。また、この使用面１８ｆ・１８ｂ・２８ｆ・２８ｂ・３８ｆ・３８ｂは、縦フレーム１１・２１・３１、上部フレーム１３・２３・３３、下部フレーム１２・２２・３２およびペーパコア６に適宜接着剤などを用いて表側および裏側に取り付けられるようにしている。そして、このように断面長方形状の縦フレーム１１、２１、３１上にフィルムを設けるようにしたので、隣り合うボード本体の使用面が略連続し、境界に跨って筆記する際の連続性を確保することが可能となる。
【００１９】
次に、このように構成された筆記用ボード１００を、図４に示すような折り畳んだ状態から各ボード本体を展開する状態（図５、図１）について説明する。
【００２０】
まず、図４に示すように左ボード本体１と中央ボード本体２と右ボード本体３を折り畳んだ状態から展開する場合、図５に示すように左ボード本体１を、その端部に設けられた連結部材の回転中心を支点として展開させ、中央ボード本体２の裏面と左ボード本体１の裏面とを面一となるようにして、使用面の大きさおよび使用面の外枠形状を変更する。そして、この状態で筆記用ボード１００を使用する場合、すなわち、左ボード本体１の表側使用面１８ｆと右ボード本体３の裏側使用面３８ｂとを使用する場合や、もしくは、左ボード本体１の裏側使用面１８ｂと中央ボード本体２の裏側使用面２８ｂを使用する場合、この左ボード本体１と中央ボード本体２の上部フレーム１３・２３に跨って規制部材５を嵌め込み、この中央ボード本体２と左ボード本体１とがそれぞれ回転しないように規制する。
【００２１】
そして、この状態から図１に示すように右ボード本体３を展開させて使用する場合、更に、右ボード本体３に設けられた連結部材４の回転中心を支点として右ボード本体３を展開させ、中央ボード本体２と面一になった状態、すなわち、表側使用面の面積が折り畳み時（図４）の三倍となった状態で、これらのボード本体２・３の上部に規制部材５を嵌め込み、その回転を規制する。
【００２２】
このように上記実施の形態によれば、書き込み可能な使用面１８ｆ・１８ｂ・２８ｆ・２８ｂ・３８ｆ・３８ｂを有してなる筆記用ボード１００において、表出している使用面１８ｆ・１８ｂ・２８ｆ・２８ｂ・３８ｆ・３８ｂの大きさ、若しくは外形形状を変更できるようにしたので、書き込み量が多い場合やこの筆記用ボード１００の一部に投影用スクリーンなどとして使用する場合は、これらの左ボード本体１や右ボード本体３を展開させて同時に見ることができる範囲を大きくすることができ、一方、この筆記用ボード１００を使用しない場合や、一枚のボード本体だけで事足りる場合は、これらのボード本体１・３を折り畳むことによって、省スペース化を図ることができるようになる。
【００２３】
また、このように折り畳み可能に設けられたボード本体１・２・３の変動を規制部材５によって規制する壁部１３ｓ・２３ｓ・３３ｓを設けるようにしたので、使用時におけるボード本体１・２・３の振れを防止することができ、更に、このように上部フレーム１３・２３・３３の上向き略コの字状に開口した部分で振れを規制させるようにしたので、この部分を目立たせることがなくなる。
【００２４】
また、上記実施の形態では折り畳み可能なボード本体１・２・３を三枚設け、この各ボード本体１・２・３の表裏面に使用面１８ｆ・１８ｂ・２８ｆ・２８ｂ・３８ｆ・３８ｂを設けるようにしたので、例えば、左ボード本体１の表側使用面１８ｆを常時表出させておくための使用面とし、これに対応して、中央ボード本体２の表側使用面２８ｆや、折り返しによって左ボード本体１に隣接するようになる右ボード本体３の裏側使用面３８ｂに、可変的な項目を記載してページを捲るように書き込めるようにすることができる。
【００２５】
また、上記実施の形態では、各ボード本体１・２・３に設けられた脚部１４・２４・３４を、折り畳み時に互いに干渉しないような位置および形状に構成したので、各ボード本体を完全に折り畳むことができ、これによってより省スペース化を図ることができる。
【００２６】
なお、本発明は上記実施の形態に限定されることなく、種々変更することができる。例えば、上記実施の形態では、左右方向に折り畳める筆記用ボード１００について説明したが、上下方向に折り畳めるように構成してもよい。また、上記実施の形態では、折り畳み可能に構成した筆記用ボード１００について説明したが、これに限らず、左右方向に伸縮可能な枠体の内部に一方側へスクロールする使用面を取り付け、この枠体を伸縮させることに伴って使用面を伸縮させて使用面の大きさを変えるようにすることもできる。更に、上記実施の形態では、面一に展開されたボード本体１・２・３の振れを防止する規制部材５を設けるようにしたが、これに限らず、会議室の角部などにこのような筆記用ボード１００を設置する場合を想定し、直角に広げられたボード本体の振れを防止するような形状の規制部材を設けるようにしても良い。また、上記実施の形態では、一方向にのみ折り畳めるような筆記用ボード１００について説明したが、これに限らず、第２の実施形態に示すようにいずれの方向にも折り畳めるように構成しても良い。（第２の実施形態）
次に本発明の第２の実施形態について説明する。図６は、第２の実施形態に係る筆記用ボード１００Ａの外観斜視図を示したものであり、図７および図８は、各パネル本体１Ａ、２Ａ、３Ａの境界部分近傍における拡大図を示したものである。また、図９〜図１３は、この筆記用ボード１００Ａの使用状態を示したものである。
【００２７】
この筆記用ボード１００Ａは、左ボード本体１Ａと中央ボード本体２Ａと右ボード本体３Ａとを具備してなり、左ボード本体１Ａおよび右ボード本体３Ａを表裏いずれの方向にも折り畳み可能にしている。このため、この実施形態においては、少なくとも左ボード本体１Ａと中央ボード本体２Ａとの境界における角部分、および、右ボード本体３Ａと中央ボード本体２Ａとの境界における角部分を半円形状に湾曲させた湾曲部７０ｂを設け、また、左ボード本体１Ａの自由端および右ボード本体３Ａの自由端にも湾曲部７０ｂを設けている。なお、このように自由端側にも湾曲部１ＡＲ、３ＡＲを設けた場合、この自由端側に同様のボード本体を連結することが可能となる。この筆記用ボード１００Ａは、第一の実施形態と同様の枠体および脚部１４Ａ、２４Ａ、３４Ａを具備するボード本体１Ａ、２Ａ、３Ａと、これらのボード本体１Ａ、２Ａ、３Ａを連結する連結部材４Ａとを備えて構成される。
【００２８】
これらのボード本体１Ａ、２Ａ、３Ａは、中央ボード本体２Ａに対して左ボード本体１Ａおよび右ボード本体３Ａの幅寸法を若干小さく構成し、これによって、折り畳み時における脚部間の干渉を防止するようにしている。この脚部１４Ａ、２４Ａ、３４Ａは、中央ボード本体２Ａに一対と、左ボード本体１Ａおよび右ボード本体３Ａにそれぞれ一箇所ずつ設けられる。このうち、左ボード本体１Ａおよび右ボード本体３Ａの脚部１４Ａ、３４Ａは、自由端側の下端部近傍にキャスタ１７Ａ、３７Ａを有する縦脚フレーム１５Ａ、３５Ａを設けて構成している。一方、中央ボード本体２Ａの脚部２５Ａは、縦脚フレーム２５Ａと、キャスタ２７Ａを有する水平脚フレーム２６Ａとで構成され、その脚部２７Ａを中央ボード本体２Ａの両端部近傍に幅広に配置することによって、折り畳み時における安定性を確保するようにしている。
【００２９】
一方、この脚部１４Ａ、２４Ａ、３４Ａの上方に設けられる枠体は、第一の実施形態と同様に縦フレーム１１Ａ、２１Ａ、３１Ａと上部フレーム１３Ａ、２３Ａ、３３Ａおよび下部フレームとを有し、更に、この実施形態ではそれぞれの縦フレーム１１Ａ、２１Ａ、３１Ａの両端部に前記湾曲部７０ｂを有する外部フレーム７０を取り付けている。この外部フレーム７０は、枠体の縦フレーム１１Ａ、２１Ａ、３１Ａに沿う平面部７０ａと、半円状の湾曲部７０ｂとを設けて構成しており、この外部フレーム７０の平面部７０ａを両側の縦フレーム１１Ａ、２１Ａ、３１Ａの外側に密着させてビス止めしている。この湾曲部７０ｂは、各ボード本体１Ａ、２Ａ、３Ａを折り畳む際それぞれの端部の角部分が互いに干渉しないように連結部材４Ａの回転中心６０を中心とする半円形状に構成される。そしてボード本体１Ａ、２Ａ、３Ａの端部の湾曲部７０ｂをフィルムで覆い、筆記する際における連続性を損なわせないようにしている。また、この実施形態では、上部フレーム１３Ａ、２３Ａ、３３Ａの上端部分などにも外部フレーム７１を取り付けるとともに、この外部フレーム７１の先端部にブラケット７２を嵌め込んで連結部材４Ａを取り付けられるようにしている。このブラケット７２は、その端部を前記外部フレーム７０の半円形状と略同一形状に設けるとともに、連結部材４Ａに取り付けられるボルト６１を貫通させるための貫通孔６２をその回転中心６０に設けている。
【００３０】
連結部材４Ａは、ボード本体１Ａ、２Ａ、３Ａにおける端部の隙間を小さくし、かつ、湾曲させた端部までボード本体１Ａ、２Ａ、３Ａを回り込ませうるようにした状態でその各ボード本体１Ａ、２Ａ、３Ａの上端部分および下端部分を連結する単一の部材で構成しており、ブラケット７２に取り付けた状態でボード本体１Ａ、２Ａ、３Ａの厚み中心軸上に回転中心６０が位置するようにしている。この連結部材４Ａは、ブラケット７２の貫通孔７２ａに回転自在に嵌め込まれ、連結部材４Ａの回転中心６０に取り付けられたボルト６１の先端部分を外部フレーム７０に固定することによって連結部材４Ａを回転可能にしている。
【００３１】
次に、このように構成された筆記用ボード１００Ａを図９に示すような展開した状態から図１１もしくは図１３に示すような各ボード本体１Ａ、２Ａ、３Ａを完全に折り畳んだ状態にする場合について説明する。
【００３２】
まず、図９に示すように左ボード本体１Ａと中央ボード本体２Ａと右ボード本体３Ａを一直線上に展開した状態から図１１に示すような左ボード本体１Ａを裏面側に折り畳み動作させる場合、連結部材４Ａを介して左ボード本体１Ａの回転中心６０が中央ボード本体２Ａの裏側に移動し（図１０）、それに伴って、左ボード本体１Ａの裏側使用面１８Ａｂと中央ボード本体２Ａの裏側使用面２８Ａｂとが対面配置しうる状態となる。また、残る右ボード本体３Ａを折り畳む場合も同様に、連結部材４Ａを介して右ボード本体３Ａの回転中心６０が中央ボード本体２Ａの表側使用面２８Ａｆ側に移動し（図１０）、それに伴って、右ボード本体３Ａの表側使用面３８Ａｆと中央ボード本体２Ａの表側使用面２８Ａｆとが対面配置しうる状態となる。
【００３３】
また、これとは逆方向にそれぞれのボード本体１Ａ、２Ａ、３Ａを折り畳む場合（図９、図１２〜図１３）、すなわち、左ボード本体１Ａを表面側に折り畳み動作させる場合も、連結部材４Ａを介して左ボード本体１Ａの回転中心６０が中央ボード本体２Ａの表側に移動し、これに伴って、左ボード本体１Ａの表側使用面１８Ａｆと中央ボード本体２Ａの表側使用面２８Ａｆとが対面配置しうる状態となる。更に、残る右ボード本体３Ａを折り畳む場合も同様に、連結部材４Ａを介して右ボード本体３Ａの回転中心６０が中央ボード本体２Ａの裏面側に移動し、これに伴って、右ボード本体３Ａの裏側使用面３８Ａｂと中央ボード本体２Ａの裏側使用面２８Ａｂとが対面配置しうる状態となる。
【００３４】
なお、このように各ボード本体１Ａ、２Ａ、３Ａを折り畳む場合、連結部材４Ａが各ボード本体１Ａ、２Ａ、３Ａの回転中心６０を中心として回転するようになるが、この連結部材４Ａの長さを、各ボード本体１Ａ、２Ａ、３Ａの隙間を小さくし、かつ、湾曲させた端部までボード本体１Ａ、２Ａ、３Ａの使用面を回り込ませ可能な長さに設定してあり、かつ、湾曲部７０ｂの形状をこの回転中心６０を中心とする半円形状に構成したため、各ボード本体１Ａ、２Ａ、３Ａの端部間に大きな隙間を生じることなく開閉させることが可能となる。このため、折り畳み時における指の挟み込みなどを防止でき、更に、開放時における筆記の連続性を確保することができる。
【００３５】
このように第２の実施形態においては、書き込み可能な使用面を有してなる筆記用ボード１００Ａにおいて、使用面を有する複数のボード本体１Ａ、２Ａ、３Ａと、当該複数のボード本体１Ａ、２Ａ、３Ａを折り畳み可能に連結する連結部材４Ａとを設け、当該連結部材４Ａで連結された複数のボード本体１Ａ、２Ａ、３Ａの境界部分に湾曲部７０ｂを設けるとともに前記連結部材４Ａによって表裏両方向に折り畳み又は展開することによって表出する使用面の大きさを変更可能に設けるようにしたので、折り畳み方向によって複数パターンの使用面の形態をとることができる。これにより、例えば、左ボード本体１Ａの表側使用面１８Ａｆと中央ボード本体２Ａの表側使用面２８Ａｆとを筆記面として使用する形態と、左ボード本体１Ａの表側使用面１８Ａｆと右ボード本体３Ａの裏側使用面３８Ａｂとを筆記面として使用する形態とを選択することができるようになる。また、例えば、オフィス空間のコーナ部分にこのような筆記用ボード１００Ａを配置する場合であっても、任意の方向に折り畳むことができるので、オフィス空間に合わせた自由な配置が可能となる。
【００３６】
【発明の効果】
本発明は、以上説明したような形態で実施され、以下に記載されるような効果を奏する。
【００３７】
すなわち、本発明の筆記用ボードは、書き込み可能な使用面を有してなる筆記用ボードにおいて、表出している使用面の形態を変更できるように構成したので、書き込み量などに対応してその使用面の形態を変更させることができるようになる。
【図面の簡単な説明】
【図１】本発明の一実施の形態を示す筆記用ボードの外観斜視図。
【図２】同形態におけるＡ−Ａ断面図。
【図３】図１における使用面およびペーパコアを取り外した状態を示す外観斜視図。
【図４】図１における左ボード本体および右ボード本体を折り畳んだ状態を示す外観斜視図。
【図５】図１における左ボード本体のみを展開させた状態を示す外観斜視図。
【図６】本発明の第２の実施形態を示す筆記用ボードの外観斜視図。
【図７】同形態における連結部分の拡大図。
【図８】同形態における連結部分の拡大平面図。
【図９】筆記用ボードを展開させた状態を示す平面図。
【図１０】筆記用ボードを折り畳む状態を示す平面図。
【図１１】筆記用ボードを折り畳んだ状態を示す平面図。
【図１２】筆記用ボードを折り畳む状態を示す平面図。
【図１３】筆記用ボードを折り畳んだ状態を示す平面図。
【符号の説明】
１００、１００Ａ・・・筆記用ボード
１、１Ａ・・・ボード本体（左ボード本体）
２、２Ａ・・・ボード本体（中央ボード本体）
３、３Ａ・・・ボード本体（右ボード本体）
４、４Ａ・・・連結部材
５・・・規制部材
１８ｆ、２８ｆ、３８ｆ、１８Ａｆ、２８Ａｆ、３８Ａｆ・・・使用面（表側使用面）
１８ｂ、２８ｂ、３８ｂ、１８Ａｂ、２８Ａｂ、３８Ａｂ・・・使用面（裏側使用面）
１３ｓ、２３ｓ、３３ｓ・・・規制部（壁部）
１４、２４、３４、１４Ａ、２４Ａ、３４Ａ・・・脚部
【図１】
0003908026.tif 000002
【図２】
0003908026.tif 000003
【図３】
0003908026.tif 000004
【図４】
0003908026.tif 000005
【図５】
0003908026.tif 000006
【図６】
0003908026.tif 000007
【図７】
0003908026.tif 000008
【図８】
0003908026.tif 000009
【図９】
0003908026.tif 000010
【図１０】
0003908026.tif 000011
【図１１】
0003908026.tif 000012
【図１２】
0003908026.tif 000013
【図１３】
0003908026.tif 000014